(57)【要約】 【課題】  セキュリティ性の良好なＩＣ内蔵媒体を得る。【解決手段】  実施形態にかかるＩＣ内蔵媒体はＩＣチップとアンテナ基板を内蔵し、非接触でリーダー／ライターと通信を行う。ＩＣ内蔵媒体は、媒体の２ヶ所またはそれ以上の箇所に同時に外圧を与えたとき、媒体を特定の方向に向けたとき、またはＧＰＳシステムにより、媒体が特定の領域内に位置するときに通信可能となる。【選択図】図１
2012198697.tif 000002
【特許請求の範囲】
【請求項１】
ＩＣチップとアンテナ基板を内蔵し、電磁波エネルギーを使用して、非接触でリーダー／ライターと通信を行うＩＣ内蔵媒体において、前記媒体の２ヶ所またはそれ以上の箇所に同時に外圧を与えたときに通信可能となることを特徴とするＩＣ内蔵媒体。
【請求項２】
ＩＣチップとアンテナ基板を内蔵し、電磁波エネルギーを使用して、非接触でリーダー／ライターと通信を行う非接触ＩＣ内蔵媒体において、前記媒体を特定の方向に向けたときに通信可能となることを特徴とする非接触ＩＣシート内蔵媒体。
【請求項３】
ＩＣチップとアンテナ基板を内蔵し、電磁波エネルギーを使用して、非接触でリーダー／ライターと通信を行うＩＣ内蔵媒体において、全地球測位システムにより、前記媒体が特定の領域内に位置することが確認できたときに通信可能となることを特徴とする非接触ＩＣシート内蔵媒体。
【発明の詳細な説明】
【技術分野】
【０００１】
本発明の実施形態は、ＩＣ内蔵媒体に関する。
【背景技術】
【０００２】
ＩＣ内蔵媒体は、媒体内部に通信に必要なアンテナとＩＣチップとを内蔵し、リーダー／ライターとの通信を非接触で行うことができ、近年、個人認証カード等に広く利用されている。このＩＣ内蔵媒体は、通信時、認証用のパスワードを設定したり、記録内容を暗号化させておくことにより、一定のセキュリティ性が確保できる。しかしながら、パスワード等を入手すれば、一般的な規格のリーダー／ライターで記録内容を容易に読み出したり、書き込んだりできるため、十分なセキュリティ性を確保しているとは言えなかった。
【先行技術文献】
【特許文献】
【０００３】
【特許文献１】特開２００９−１１０１４６号公報
【発明の概要】
【発明が解決しようとする課題】
【０００４】
実施形態によれば、セキュリティ性の良好なＩＣ内蔵媒体を得ることを目的とする。
【課題を解決するための手段】
【０００５】
実施形態によれば、ＩＣチップとアンテナ基板を内蔵し、非接触でリーダー／ライターと通信を行うＩＣ内蔵媒体であって、媒体の２ヶ所またはそれ以上の箇所に同時に外圧を与えたとき、媒体を特定の方向に向けたとき、または全地球測位システムにより、媒体が特定の領域内に位置することが確認できたときに通信可能となることを特徴とするＩＣ内蔵媒体が提供される。
【図面の簡単な説明】
【０００６】
【図１】第１の実施形態に係るＩＣカードの一例の構成を模式的に表す図である。
【図２】図１のＸ−Ｘ断面図である。
【図３】第２の実施形態に係るＩＣカードの一例の構成を模式的に表す図である。
【図４】図１のＹ−Ｙ断面図である。
【図５】第３の実施形態に係るＩＣカードの一例ｋ構成を模式的に表すである。
【発明を実施するための形態】
【０００７】
実施形態に係るＩＣ内蔵媒体は、ＩＣチップとアンテナ基板を内蔵し、電磁波エネルギーを使用して、非接触でリーダー／ライターと通信を行うことができる。
【０００８】
第１の実施形態にかかるＩＣ内蔵媒体は、媒体の２ヶ所またはそれ以上の箇所に同時に外圧を与えたときに通信可能となる。
【０００９】
第２の実施形態にかかるＩＣ内蔵媒体は、媒体を特定の方向に向けたときに通信可能となる。
【００１０】
第３の実施形態にかかるＩＣ内蔵媒体は、全地球測位システムにより、媒体が特定の領域内に位置することが確認できたときに通信可能となる。
【００１１】
以下、実施の形態について、図面を参照して説明する。
【００１２】
図１に、第１に実施形態にかかるＩＣカードの一例の構成を模式的に表す図を示す。
【００１３】
また、図２に図１のＸ−Ｘ断面図を示す。
【００１４】
図２に示すように、非接触ＩＣカード１０は、第１の表面基材２３と、表面基材２３上に設けられたアンテナ基板２６と、アンテナ基板２６上に設けられたアンテナ２と、アンテナ２上にアンテナ２の接続端部が露出するように所定の領域を除いて部分的に設けられた、弾性を有する充填材６と、アンテナ接続部材２１，２２を有するＬＳＩ１が取り付けられ、所定の領域に、アンテナ接続部材２１，２２がアンテナ２と離間してＬＳＩ１が収まるように充填材６上に重ねられたコア材料２４と、コア材料２４上に設けられた第２の表面基材２５とを含む。
【００１５】
図１は、非接触ＩＣカード１０の構成を説明し易くするため、非接触ＩＣカード１０から、第２の表面基材２５、コア材料２４、及び充填材６が取り除かれた状態を示している。アンテナ接続部材２１，２２とアンテナ２は、各々領域４，５で接触可能に離間されている。
【００１６】
非接触ＩＣカード１０では、使用者が領域４，５を押圧したときに、アンテナ接続部材２１，２２とアンテナ２が接続して通電する。
【００１７】
一方、押圧を解除すると、アンテナ接続部材２１，２２とアンテナ２は弾性を有する充填材６の弾性により離間して、接続が切れ、通電が止まる。
【００１８】
このように、図１に記載の非接触ＩＣカードでは、使用者が領域４，５を両方とも押圧するというセキュリティ情報を知らないとアンテナを通電することができない。
【００１９】
このため、第１の実施形態にかかるＩＣカードを用いると、セキュリティ情報を知らない第３者はＩＣカードの情報の読み出し、書き込みを容易に行うことができない。
【００２０】
図３に、第２の実施形態に係るＩＣカードの構成の一例を模式的に表す図を示す。
【００２１】
また、図４に図３のＹ−Ｙ断面図を示す。
【００２２】
図４に示すように、非接触ＩＣカード３０は、第１の表面基材３６と、表面基材上に設けられたアンテナ基板３３と、アンテナ基板３３上に設けられたアンテナ３２と、アンテナ３２と接続して設けられたＬＳＩ３１とを有する。さらに、非接触ＩＣカード３０には、ＬＳＩ３１を収容する領域を有するコア材料３５と、コア材料３５上に設けられた第２表面基材３４が設けられている。
【００２３】
図３では、非接触ＩＣカード３０の構成を説明し易くするため、非接触ＩＣカード３０からコア材料３５と第２表面基材３４が取り除かれた状態を示している。
【００２４】
図３に示すように、アンテナ３２の一部に傾斜スイッチ３７が設けられている。
【００２５】
この非接触ＩＣカード３０は、所定の角度の範囲内に向けると傾斜スイッチがＯＮとなり、アンテナが導通する。一方、非接触ＩＣカード３０が所定の角度の範囲外に向いていると、傾斜スイッチがＯＦＦとなり、アンテナが導通しない。
【００２６】
このように、図３に記載の第２の実施形態にかかる非接触ＩＣカードでは、使用者が所定の角度の範囲内に向けるというセキュリティ情報を知らないとアンテナを通電することができない。
【００２７】
このため、第２の実施形態にかかるＩＣカードを用いると、セキュリティ情報を知らない第３者はＩＣカードの情報の読み出し、書き込みを容易に行うことができない。
【００２８】
図５に、第３の実施形態にかかるＩＣカードの一例の構成を表す模式図を示す。
【００２９】
第３の実施形態にかかるＩＣカード４０は、図示しない第１の表面基材と、表面基材上に設けられたアンテナ基板４３と、アンテナ基板４３上に設けられたアンテナ４２と、アンテナ４２と接続して設けられたＬＳＩ４１とを有する。なお、非接触ＩＣカード４０には、例えばＬＳＩ４１を収容する領域を有する図示しないコア材料と、コア材料上に設けられた図示しない第２表面基材をさらに設けることができるが、図５では、説明のため、非接触ＩＣカード４０からコア材料と第２表面基材が取り除かれた状態を示している。
【００３０】
ＬＳＩ４１では、外部に設けられたＧＰＳシステム５１から位置情報を受信するＧＰＳデータ通信部４４に接続された位置情報処理部４５と、アンテナ４２の一部に接続され、アンテナのＯＮ／ＯＦＦを制御するアンテナ制御部４６と、外部に設けられた非接触リーダ・ライター４７と通信を行うためのカード・データ通信部４８と、データ蓄積部４９とが、各種データ処理及び全体的な制御を行う主制御部５２に接続されている。
【００３１】
カード・データ通信部４８と、接触リーダ・ライター４７との間のデータ送信は、アンテナ４２を用いて電磁誘導方式等により行われる。
【００３２】
データ蓄積部４９は、例えば主制御部の制御プログラムが予め格納されているＲＯＭ（リード・オンリ・メモリ）、一時的なデータの書き込み及び読み出し等が行われるＲＡＭ（ランダム・アクセス・メモリ）、及び各種データが格納されるＥＥＯＲＯＭ（エレクトリカル・イレーザブル・アンド・プログラマブル・リード・オンリ・メモリ）などの不揮発メモリを有する。
【００３３】
位置情報処理部４５では、ＧＰＳデータ通信部４４からの位置情報と、所定の位置範囲とを照合して、現在位置が所定の位置範囲内に入っていることが確認できるか判定する。
【００３４】
アンテナ制御部４６では、位置情報処理部４５における判定結果を受けて、現在位置が所定の位置範囲内に入っていると確認できた場合にはアンテナの通電をＯＮにし、現在位置が所定の位置範囲内に入っていると確認できない場合にはアンテナの通電をＯＦＦにする。
【００３５】
このように、図５に記載の第３の実施形態にかかる非接触ＩＣカードでは、使用者が所定の位置範囲内に入いるというセキュリティ情報を知らないとアンテナを通電することができない。
【００３６】
このため、第３の実施形態にかかるＩＣカードを用いると、セキュリティ情報を知らない第３者はＩＣカードの情報の読み出し、書き込みを容易に行うことができない。
【００３７】
以上のように、第１にないし第３の実施形態に係るＩＣ内蔵媒体を用いると良好なセキュリティ性が得られる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１０，３０，４０…ＩＣチップ、３，３３，４３…アンテナ基板、４７…リーダー／ライター、１０，３０，４０…ＩＣ内蔵媒体
【図１】
2012198697.tif 000003
【図２】
2012198697.tif 000004
【図３】
2012198697.tif 000005
【図４】
2012198697.tif 000006
【図５】
2012198697.tif 000007